(57)【要約】【課題】２系統以上の光学系を搭載し、一方の光学系を広角画像に対応させ、他方の光学系を望遠画像に対応させ、表示部のモニタリング画面上に広角画像と望遠画像との関係を表示する構成とすることにより、高倍率撮影時における所望の被写体を画角範囲内におさまるようにすることを支援する撮像装置を提供する。【解決手段】本発明の撮像装置は、第１の被写体画像を取得する第１撮像光学系２、第２の被写体画像を取得する第２撮像光学系３、第１の被写体画像の映像信号を第１画像データに変換する第１撮像部１８、第２の被写体画像の映像信号を第２画像データに変換する第２撮像部１９、第１の被写体画像と第２の被写体画像とを表示する表示部２０、表示部２０に表示された第１の被写体画像に第２の被写体画像の撮像範囲を表示枠で表示する制御部１１を備える。【選択図】  図１
2013013050.tif 000002
【特許請求の範囲】
【請求項１】
第１の被写体画像を取得する第１撮像光学系と、
該第１撮像光学系により取得された第１の被写体画像よりも望遠側の第２の被写体画像を取得可能な第２撮像光学系と、
前記第１撮像光学系により取得された前記第１の被写体画像の映像信号を第１画像データに変換する第１撮像部と、
前記第２撮像光学系により取得された前記第２の被写体画像の映像信号を第２画像データに変換する第２撮像部と、
前記第１画像データによる前記第１の被写体画像と前記第２画像データによる前記第２の被写体画像とを表示する表示部と、
前記表示部に表示された前記第１の被写体画像に前記第２の被写体画像の撮像範囲を表示枠で表示させる制御部と、を備える撮像装置。
【請求項２】
前記制御部は、前記表示部に前記第２の被写体画像が表示されているときに前記第１の被写体画像を子画像として表示しかつ該子画像が表示されている領域内に前記第２の被写体画像に対応する撮像範囲を表示枠により表示することを特徴とする請求項１に記載の撮像装置。
【請求項３】
前記第１撮像光学系により取得された前記第１の被写体画像の中からターゲットとする被写体を特定する被写体特定手段を更に有し、
前記制御部は、前記被写体特定手段により特定された前記第１の被写体画像の中に存在する前記ターゲットをロックして該ターゲットの少なくとも一部が前記第２の被写体画像から外れた時には前記ターゲットの存在する方向を指し示す指示マークを前記表示部に表示させることを特徴とする請求項１又は請求項２に記載の撮像装置。
【請求項４】
前記第1撮像光学系と前記第２撮像光学系とのうち、少なくとも該第2撮像光学系が光学式ズームレンズを備えていることを特徴とする請求項１ないし請求項３のうちのいずれか1項に記載の撮像装置。
【請求項５】
前記第1撮像光学系と前記第２撮像光学系とが倍率固定の撮像光学系から構成され、少なくとも前記第2撮像部により得られた第2の被写体画像がデジタルズームにより拡大された画像であることを特徴とする請求項１ないし請求項３のうちのいずれか1項に記載の撮像装置。
【請求項６】
前記制御部は、前記第１の被写体画像の画角と前記第２の被写体画像の画角とを比較して前記第２の被写体画像の画角が前記第１の被写体画像の画角よりも狭いときに、前記表示部に表示された前記第１の被写体画像に前記第２の被写体画像に対応する撮像範囲を表示枠で表示することを特徴とする請求項４又は請求項５に記載の撮像装置。
【請求項７】
前記被写体特定手段は、前記第１撮像光学系により撮像された第１の被写体画像の中から人の顔を検出して、該顔を前記ターゲットとして特定することを特徴とする請求項３に記載の撮像装置。
【請求項８】
前記被写体特定手段は、前記第１撮像光学系により撮像された前記第１の被写体画像としてのモニタリング画像の中からユーザが前記被写体を指定する指定手段を有することを特徴とする請求項３に記載の撮像装置。
【請求項９】
前記制御部は、前記ユーザが前記指定手段を操作中に前記第１撮像光学系により撮像された前記モニタリング画像を前記表示部に拡大表示させることを特徴とする請求項８に記載の撮像装置。
【請求項１０】
第１の被写体画像を取得する第１の撮像光学系と、該第１撮像光学系により取得された第１の被写体画像よりも望遠側の第２の被写体画像を取得可能な第２撮像光学系と、前記第１撮像光学系により取得された前記第１の被写体画像の映像信号を第１画像データに変換する第１撮像部と、前記第２撮像光学系により取得された前記第２の被写体画像の映像信号を第２画像データに変換する第２撮像部と、前記第２画像データによる第２の被写体画像を表示する表示部と、前記第１撮像光学系により取得された第１の画像データの中からターゲットとする被写体を特定する被写体特定手段とを備えた撮像装置に用いる表示方法であって、
前記第２撮像光学系により取得された第２の被写体画像を表示する表示ステップと、
前記第１の被写体画像の中から前記被写体特定手段によりターゲットとする被写体を特定する特定ステップと、
前記ターゲットの少なくとも一部が前記第２の被写体画像から外れたときに前記ターゲットの存在する方向を指し示す指示マークを前記表示部に表示させる指示マーク表示ステップと、を備えていることを特徴とする撮像装置の表示方法。
【発明の詳細な説明】
【技術分野】
【０００１】
本発明は、コンパクトデジタルカメラ等の撮像装置及びこの撮像装置を用いた表示方法の改良に関する。
【背景技術】
【０００２】
近年、光学ＺＯＯＭが１０倍を超える高倍率ズームのコンパクトデジタルカメラが開発されて市販されている。
また、例えば、３Ｄカメラや位相差ＡＦセンサを搭載したカメラのように、２系統以上の光学系を搭載するデジタルカメラも開発されている。
ところで、高倍率ズームのデジタルカメラでは、最大望遠付近にしたときに、所望の被写体の全てを画角範囲内におさまるようにするのが難しいという問題がある。
【０００３】
そこで、ズーム撮影時において、特定の被写体（撮影したい主要被写体）をユーザが撮影する際の操作を容易にするために、広角画像と望遠画像（ズーム画像）とを同時に取り込んで、表示部に広角画像全体を表示し、望遠画像（ズーム画像）に対応する撮像範囲を表示枠で囲んで示すようにしたデジタルカメラが提案されている（特許文献１参照）。
【０００４】
なお、光学式ファインダーを覗いて望遠側で撮影するときに、撮影したい主要被写体を見失うのを防止するために、デジタルズームの作動を禁止する撮像装置も提案されている（特許文献２参照）。
【発明の概要】
【発明が解決しようとする課題】
【０００５】
その特許文献１に開示のデジタルカメラによれば、ズーム撮影時に被写体の追跡の容易化を図ることができるという長所がある。
しかしながら、その特許文献１に開示のものでは、光学系の駆動機構が複雑化するという問題がある。また、特許文献２の開示のものでは、デジタルズーム機能が損なわれる。
【０００６】
本発明は、上記の事情に鑑みて為されたもので、２系統以上の光学系を搭載し、一方の光学系を広角画像に対応させ、他方の光学系を望遠画像に対応させ、表示部のモニタリング画面上に広角画像と望遠画像との関係を表示する構成とすることにより、高倍率撮影時における所望の被写体を画角範囲内におさまるようにすることを可能とした撮像装置を提供することにある。
【課題を解決するための手段】
【０００７】
本発明の撮像装置は、第１の被写体画像を取得する第１撮像光学系と、第１撮像光学系により取得された第１の被写体画像よりも望遠側の第２の被写体画像を取得可能な第２撮像光学系と、第１撮像光学系により取得された第１の被写体画像の映像信号を第１画像データに変換する第１撮像部と、第２撮像光学系により取得された第２の被写体画像の映像信号を第２画像データに変換する第２撮像部と、第１画像データによる第１の被写体画像と第２画像データによる第２の被写体画像とを表示する表示部と、表示部に表示された第１の被写体画像に第２の被写体画像の撮像範囲を表示枠で表示させる制御部とを備える。
【発明の効果】
【０００８】
本発明によれば、高倍率撮影時における所望の被写体を画角範囲内におさまるようにすることができる。
【図面の簡単な説明】
【０００９】
【図１】図１は本発明に係る撮像装置に用いる３Dカメラの一例を示す外観図である。
【図２】図２は図１に示す３Dカメラの制御回路ブロック図である。
【図３】図３は実施例１に係る撮像装置の説明図であって、図１に示す３Dカメラにより取得された広角画像と望遠画像との関係の一例を示す説明図である。
【図４】図４は所望の被写体としての望遠画像を示す説明図である。
【図５】図５は実施例２に係る撮像装置の説明図であって、図５（a）は図１に示す左側撮像光学系により取得された広角画像の中のターゲットをロックした状態を示す説明図であり、図５（ｂ）は図１に示す右側撮像光学系により取得された望遠画像に所望の被写体が存在しない場合の指示マークを表示画面の隅に表示した例の説明図であり、図５（ｃ）は図１に示す右側撮像光学系により取得された望遠画像に所望の被写体が存在しない場合の指示マークを表示画面の中央に表示した例の説明図である。
【図６】図６は実施例３に係る撮像装置の説明図であって、望遠画像が表示されているときに広角画像を子画像として表示しかつ子画像が表示されている領域内に望遠画像に対応する範囲を表示枠により表示した例を示す説明図である。
【図７】図７は本発明に係る撮像装置に用いる位相差方式のカメラの一例を示す外観図である。
【図８】図８は図７に示す位相差方式のカメラの制御回路ブロック図である。
【図９】図９は第１撮像光学系の光軸中心と第２撮像光学系の光軸中心とのずれの説明図である。
【図１０】図１０は広角画像の画角中心と望遠画像の画角中心とのずれ量を示す説明図である。
【図１１】図１１は本発明の実施例に係る設定メニュー画面としての選択メニュー画面の一例を示す説明図であって、（a）は選択メニュー画面の項目の一例を示し、（ｂ）は（a）に示す選択メニュー画面において「F補助」の項目を選択した状態を示す説明図である。
【図１２】図１２は本発明の実施例５に係るデジタルカメラの説明図であって、（ａ）はそのデジタルカメラの正面図、（ｂ）はその上面図、（ｃ）はその背面図である。
【図１３】図１３は図１２に示すデジタルカメラのシステムの構成の概要を示すブロック図である。
【図１４】図１４は図１２（ｃ）に示すＬＣＤの表示画面上に主要撮像光学系によるモニタリング画像と補助撮像光学系によるモニタリング画像とを同時に表示している例を示す説明図であり、（ａ）は主要撮像光学系の焦点距離と補助撮像光学系の焦点距離とが同程度の場合のモニタリング画像を示す図であり、（ｂ）は主要撮像光学系の焦点距離が補助撮像光学系の焦点距離よりも長い場合のモニタリング画像を示す図である。
【図１５】図１５は主要被写体の方向表示手順を説明するためのフロー図である。
【図１６】図１６はその主要撮像光学系のモニタリング画像に対して、主要被写体がどちらの方向にあるのかをガイド表示する一例を示し、（a)は主要被写体が主要撮像光学系の画角内に収まっていて、ガイド表示がされていない例を示す図であり、(b)は主要被写体が主要撮像光学系の画角に収まっていないため、主要被写体の存在する方向が矢印によりガイド表示されている例を示す図、(ｃ)は（ｂ）に示す矢印の代わりに表示画面の右端を帯状に色づけすることによりガイド表示する例を示し、（ｄ）は補助撮像光学系のモニタリング画像をＬＣＤの表示画面に表示せずに、主要被写体が主要撮像光学系のモニタリング画像から外れたときに、ガイド表示としての主要被写体の存在する方向を示す矢印のみを表示画面にガイド表示する例を示す図である。
【図１７】図１７は人物の顔が複数個検出されている場合のガイド表示の一例を示す説明図であって、（ａ）は主要被写体としての顔が主要撮像光学系のモニタリング画像内に収まっている場合を示し、(b)は主要被写体でない顔が主要撮像光学系のモニタリング画像内に収まっているが、主要被写体としての顔は画角内に収まっていない場合を示している。
【図１８】図１８は本発明の実施例６に係るデジタルカメラの動作を説明するためのフロー図である。
【図１９】図１９は本発明の実施例５に係るＬＣＤの表示画面に表示されるモニタリング画像の説明図であって、(a)は、ユーザーが主要被写体を選択操作していないときに補助モニタリング画像がＬＣＤの表示画面の隅に小さく表示されている状態を示し、（ｂ）はユーザーが主要被写体を選択操作することにより、補助モニタリング画像が大きく表示されている状態を示している。
【発明を実施するための形態】
【実施例】
【００１０】
以下に、本発明に係る撮像装置をデジタルカメラに適用した実施例を図面を参照しつつ説明する。
（実施例１）
図１は本発明の実施例１に係るデジタルカメラ１の外観図を示している。ここでは、このデジタルカメラ１は３Dカメラにより構成されている。
【００１１】
このデジタルカメラ１は、第１撮像光学系としての左側撮像光学系２、第２撮像光学系としての右側撮像光学系３、フラッシュ装置４、シャッターボタン５、モード切替ボタン６、ズームレバー（ZOOMレバー）７等から概略構成されている。
【００１２】
左側撮像光学系２と右側撮像光学系３とは、同一の光学構成である。
シャッターボタン５、モード切替ボタン６、ズームレバー７、図２に示す操作キー７’、確定ボタン７”等は、図２に示す操作部８を構成している。
【００１３】
シャッターボタン５は、撮影の実行時に用いられ、モード切替ボタン６は、例えば、静止画撮影モード、動画撮影モード等のモード切替えに用いられる。
【００１４】
ズームレバー７はズーム倍率の変更に用いられ、操作キー７’は、メニュー画面の表示、記録画像の再生その他の各種の操作に用いられ、例えば、後述する表示部２０の表示画面GUにおいて、カーソルを移動させる際にも用いられる。確定ボタン７”はソフトウエアプログラムによる実行結果を確定させるのに用いる。
【００１５】
ここでは、左側撮像光学系２はWIDE端に固定されて第１の被写体画像としての広角画像の表示に用いられ、右側撮像光学系３は第１の被写体画像よりも望遠側の第２の被写体画像としての望遠画像の表示に用いられる。しかしながら、左側撮像光学系２を望遠画像の表示に用い、右側撮像光学系３を広角画像の表示に用いても良い。
いずれにしても、第１撮像光学系の画角は第２撮像光学系の画角よりも大きい。
【００１６】
図２はそのデジタルカメラ１のブロック回路図である。
このデジタルカメラ１のブロック回路は、制御部としての演算部１１、音声部１２、水準器用加速度センサ１３、手ぶれ補正用ジャイロセンサ１４、外部記憶部（SDカード）１５、内部記憶装置（RAM）１６、フラッシュ（Flash）メモリ１７、第1撮像部１８、第2撮像部１９、表示部２０から概略構成されている。
【００１７】
音声部１２、水準器用加速度センサ１３、手ぶれ補正用ジャイロセンサ１４、外部記憶部（SDカード）１５、内部記憶装置（RAM）１６、フラッシュ（Flash）メモリ１７等には公知のものが用いられる。
【００１８】
第1撮像部１８は、第１撮像光学系により取得された第１の被写体画像の映像信号を第１画像データに変換する役割を果たす。
第２撮像部１９は、第２撮像光学系により取得された第２の被写体画像の映像信号を第２画像データに変換する役割を果たす。
【００１９】
表示部２０は、デジタルカメラ１の本体の背面に設けられている。この表示部２０には第１画像データによる第１の被写体画像と第２画像データによる第２の被写体画像とが表示される。
演算部１１は、被写体のモニタリング中、表示部２０の画面に表示された第１画像データによる第１の被写体画像に第２画像データによる第２の被写体画像の撮像範囲を表示枠により表示させる制御部としての役割を果たす。
【００２０】
すなわち、演算部１１は、被写体に対するモニタリング中、表示部２０の表示画面GUの全体に図３に示すように第１画像データに基づく広角画像WGが表示され、表示部２０の表示画面GUに第2画像データに基づく望遠画像TIの範囲を示す表示枠MIが表示されるように、表示部２０を制御する。
【００２１】
演算部１１は、ズームレバー７のズーム操作によって、その表示枠MIの大きさをズーム倍率に対応する大きさに変更制御する。ここでは、表示枠MIの大きさはズーム倍率９．１倍に対応し、ズーム倍率が大きくなるほど、表示枠MIは表示画面GU上に小さく表示される。
【００２２】
広角画像WGの表示から望遠画像TIへのモニタリング画面表示への切り替え設定については、図１１に示す設定メニュー画面のうちの選択メニュー画面GU’により行う。表示部２０の表示画面GUには設定メニュー画面としての選択メニュー画面GU’が表示されている。
【００２３】
ここでは、選択メニュー画面GU’には、図１１（a）に示すように、画質サイズ、フォーカス、プレAF、F補助、測光、画像設定等の各項目が表示されている。操作キー７’を操作して図１１（ｂ）に示すように「F補助」の項目を選択すると、選択メニュー画面に「OFF」、「ON」」、「矢印左下」、「矢印真中」、「PIP」の各文字が表示される。
【００２４】
この文字が表示されている状態の選択メニュー画面GU’において、操作キー７’を操作して、「ON」を選択し、確定ボタン７”を操作すると、実施例１において後述する機能が実行され、「矢印左下」又は「矢印真中」を選択すると、実施例２において説明する機能が実行され、「PIP」を選択すると、実施例３において説明する機能が実行される。
この実施例１では、選択メニュー画面GU’において、「ON」が予め選択されているものとする。
【００２５】
この実施例１では、更に詳細には、演算部１１は、倍率１倍では広角画像WGを表示画面GUに表示するように表示部２０を制御しており、ズームレバー７のズーム操作によって例えば倍率５倍を超えると、その表示枠MI 内の第2画像データに基づく第２の被写体画像が表示部２０の表示画面GUの全体に表示されるように、表示部２０を制御する。
【００２６】
ここでは、図４に示すように、第２画像データに基づく第２の被写体画像としての雲の一部が表示部２０の表示画面GUの全体に表示される。
この実施例１によれば、望遠時には画角内におさまるようにすることが困難な被写体でも、広角時にはその被写体を画角範囲内に容易におさまるようにすることができるので、広角時の画像を見つつ所望の被写体を容易に画角範囲内におさまるようにすることができる。
【００２７】
（実施例２）
この実施例２では、演算部１１は、第１画像データにより第１の被写体画像の中に存在するターゲットをロックしかつ第２画像データによる第２の被写体画像に表示部２０の表示を切り替えたときにターゲットの存在する方向を指し示す指示マークを表示部に表示させる構成としたものである。
この実施例２では、図１１（ｂ）に示す選択メニュー画面GU’において、予め、「矢印左下」又は「矢印真中」が選択されているものとする。
【００２８】
図５はその実施例２の広角画像の表示の一例を示すもので、被写体のモニタリング中、図５（a）に示すように、表示部２０の表示画面GUの全体に第１画像データに基づく広角画像としての第１の被写体画像が表示されている。
【００２９】
すなわち、この実施例２では、第2画像データに基づく望遠画像TIが表示部２０に表示されている状態において、Fn（ファンクション）ボタン（図示を略す）の長押し操作により、演算部１１は、第1画像データに基づく広角画像WGが表示画面GUに表示されるように、表示部２０を制御する。すなわち、演算部１１は第１撮像光学系により取得された第１の被写体画像の中からターゲットとする被写体を特定する被写体特定手段としての役割を果たす。
【００３０】
その演算部１１は、ターゲット追尾中、図５（a）に示す表示部２０の表示画面GU上でカーソルCLを移動させる機能を有し、被写体追尾（プレAF）と同様に、シャッターボタン５を長押しすると、カーソルCLにより指定された位置にターゲットObが存在するものとして、ターゲットObをロックする機能を有する。
【００３１】
ここでは、このターゲットOｂとして、図５（a）に示すように、小鳥が指定されている。また、ターゲットObが枠で囲って表示されている。
【００３２】
ターゲットObがロックされると、演算部１１は、その表示部２０の表示画面GUの全体に第2画像データによる第２の被写体画像が表示されるように、表示部２０を自動的に切り替え制御する。
【００３３】
演算部１１は、その表示部２０の表示画面GUの全体に広角画像が表示されている状態から望遠画像が表示されている状態に切り替えたときに、ターゲットObが存在しないときには、図５（ｂ）に示すように、ターゲットObの存在する方向を示す指示マークとしての矢印ZOを表示する機能を有する。
【００３４】
すなわち、演算部１１は、ロックされたターゲットObがその表示部２０の表示画面GUの広角画像WG内に表示されている場合には、右側撮像光学系３により得られた望遠画像TIの中心座標からの向きを矢印ZOで表示画面GUに表示させる。
【００３５】
右側撮像光学系３により得られた望遠画像の中にターゲットObが存在する場合には、ロックされたターゲットObが望遠画像中に存在する旨を知らせるターゲットロックの英文字を、広角画像が表示されている表示部２０の表示画面GUに表示するか、又は、矢印ZOを表示しないようにする。
【００３６】
その矢印ZOは、選択メニュー画面GU’において、「矢印左下」が選択されている場合には、図５（ｂ）に示すように、表示画面GUの隅に表示され、選択メニュー画面GU’において、「矢印真中」が選択されている場合、図５（ｃ）に示すように、表示画面GUの中央に表示される。表示画面GU上での矢印ZOの表示位置は、これに限るものではなく、要するに、ターゲットObの存在する方向にカメラを向けることができれば良い。
【００３７】
所望の望遠画像が表示画面GUの全体におさまるまで、どのくらいカメラを移動させる必要があるかを視覚的に認識させるため、所望のターゲットOｂに対するカメラの移動関係を矢印ZOの長さを変えて表示するのが望ましい。
【００３８】
また、デジタルカメラ１が、追尾オートフォーカス機能を有する場合において、一旦ロ
ックされたターゲットObが追尾エリアから消失した場合には、そのロックされたターゲットObが追尾エリア外に出た旨をユーザーに伝えるメッセージを表示部２０の表示画面GUに表示するか、又は、表示部２０の表示画面GUに表示しないようにしても良い。
【００３９】
更に、一旦ロックされたターゲットObが追尾エリア外に出た場合には、最後にロックした方向を表示部２０の表示画面GUに表示する構成としても良い。
更にまた、一旦追尾エリアからターゲットが消失して再度追尾エリア内に侵入した場合には、矢印ZO又はターゲットロックの表示を再開する構成としても良い。
【００４０】
この場合、ターゲットが鳥や飛行機等で、追尾エリア内に複数の同種のターゲットが存在する場合、一旦追尾エリア外にターゲットが出て再び追尾エリア内にターゲットが入ったとしても、同一のターゲットであるか否か、判断するのが難しい。
従って、このような場合には、ターゲットが同一であるか区別できない旨を表示しても良い。
【００４１】
（実施例３）
この実施例３では、演算部１１は、表示部２０に第2画像データによる望遠画像が表示されているときに第1画像データによる広角画像を子画像として表示しかつ子画像が表示されている領域内に望遠画像に対応する撮像範囲を表示枠により表示させる構成としたものである。
この実施例３では、図１１（ｂ）に示す選択メニュー画面GU’において、予め、「PIP」が選択されているものとする。
【００４２】
図６は、その実施例３の望遠画像の表示の一例を示すもので、被写体のモニタリング中、表示部２０の表示画面GUの全体に第２画像データに基づく望遠画像としての被写体画像が表示されている。
【００４３】
その表示部２０の表示画面GUの一部には、第1画像データによる広角画像が子画像ｇuとして表示されている。その子画像ｇuの領域内には望遠画像に対応する範囲が表示枠MIにより表示されている。
【００４４】
このように、この実施例３では、第2画像データに基づく望遠画像TIが表示部２０の表示画面GUの全体に表示されている状態で、いわゆるピクチャーインピクチャ（PIP）の手法により第1画像データに基づく広角画像が表示される。
【００４５】
この実施例３では、望遠画像TIのモニタリング中に、望遠画像TIと広角画像WGとの関係を表示枠MIにより表示する構成としたので、ユーザーは表示部２０のモニタリング画面上であっても広角画像WGと望遠画像TIとの関係を直接かつ分かり易く認識できる。
【００４６】
（実施例４）
この実施例4では、デジタルカメラ１は位相差方式のカメラである。このデジタルカメラ１は、図７に示すように、第１撮像光学系としての測距用光学系３０、第２撮像光学系としての主撮像光学系３１、フラッシュ装置４、シャッターボタン５、モード切替ボタン６、ズームレバー等から概略構成されている。
【００４７】
シャッターボタン５、モード切替ボタン６、ズームレバー等は、図８に示す操作部８を構成している。そのシャッターボタン５、ズームレバー等の機能は実施例１と同様である。
モード切替ボタン６は、例えば、静止画撮影モード、動画撮影モード等のモード切替えに用いられる。
【００４８】
測距用光学系３０は、CCD撮像素子、CMOS撮像素子等の２個の撮像素子（エリアセンサ）からなる位相差方式の測距センサ３２（図８参照）の一部を構成している。
測距用光学系３０は被写体までの距離の測定と広角画像の表示とに用いられ、主撮像光学系３１は、主撮像部３４（図８参照）を有し、広角画像の表示と望遠画像の表示とに用いられる。
図８はそのデジタルカメラ１のブロック回路図である。
【００４９】
このデジタルカメラ１のブロック回路は、図２に示す制御回路ブロックと同様に、演算部１１、音声部１２、水準器用加速度センサ１３、手ぶれ補正用ジャイロセンサ１４、外部記憶部（SDカード）１５、内部記憶装置（RAM）１６、フラッシュ（Flash）メモリ１７、表示部２０を備える。
【００５０】
音声部１２、水準器用加速度センサ１３、手ぶれ補正用ジャイロセンサ１４、外部記憶部（SDカード）１５、内部記憶装置（RAM）１６、フラッシュ（Flash）メモリ１７等には公知のものが用いられる。
【００５１】
測距センサ３２は、測距用光学系３０を介して得られた被写体の映像信号を第１画像データに変換する役割を果たす。
主撮像部３４は、主撮像光学系３１を介して得られた被写体の映像信号を第２画像データに変換する役割を果たす。
【００５２】
演算部１１、表示部２０は、実施例１と同様の機能を有する。
その測距用光学系３０には、既述のように２個の撮像素子が用いられているが、いずれか一方の撮像素子を第１画像データに用いれば良い。
【００５３】
ところで、測距用光学系３０の光軸O１（図９参照）と主撮像光学系３１の光軸O2（図９参照）とは、図７に示すように、測距用光学系３０と主撮像光学系３１の配置が水平方向、垂直方向にずれているので、図１０に示すように、広角側に用いる画角エリアの中心O１’と望遠側に用いる画角エリアの中心O2’とには、水平方向ずれΔX、垂直方向ΔYのずれが生じている。
【００５４】
従って、主撮像部３４に近い側に配置されている撮像素子を第１画像データを取得するのに用いることが、望遠側の画角エリアの中心O２’に対する広角側の画角エリアの中心O1’の中心ずれを小さくするうえで望ましい。
なお、その図９において、符号３５は主撮影レンズ、符号３６は測距用レンズ、符号ω１は広角側の画角、符号ω２は望遠側の画角を示している。
【００５５】
なお、ユーザーに近い被写体を高倍率で撮影する場合、カメラ本体からの主撮像光学系３１の鏡胴の突出量が大きくなるので、近距離に存在する所望の被写体を高倍率で撮影する場合、広角画像を取得する際に対象とする所望の被写体が鏡胴により蹴られるおそれがあるので、遠距離に存在する所望の被写体を高倍率で撮影するのが望ましい。
【００５６】
このように、これらの実施例によれば、市販の３Dカメラ、位相差方式のカメラにソフトウエアプログラムを後から追加することにより、高倍率ズーム撮影の場合でも、例えば、空を飛んでいる鳥や航空機等の飛翔体を容易に捕捉して画面内におさまるようにすることができる。
【００５７】
また、いわゆる市販の３Dカメラや位相差方式のカメラにソフトウエアプログラムを実装することにより、高倍率撮影時における所望の被写体を画角範囲内におさまるようにすることができるので、機械的構成、光学的構成等のハードウエアの構成を変更することなく、すなわち、専用のカメラを開発しなくとも、高倍率撮影時における所望の被写体を画面内におさまるようにすることができる。
【００５８】
以上、実施例１ないし実施例４においては、左側撮像光学系（第１撮像光学系）２、右側撮像光学系（第２撮像光学系）３を光学式ズームレンズを備える構成として、左側撮像
光学系２を固定するものとして説明したが、少なくとも第２撮像光学系が光学式ズームレンズを備えていれば良い。
【００５９】
また、左側撮像光学系（第１撮像光学系）２、右側撮像光学系（第２撮像光学系）３を倍率固定の撮像光学系から構成し、少なくとも第２撮像部１９（図２参照）により得られた第２画像データがデジタルズームにより拡大された画像であっても良い。
【００６０】
（実施例５）
図１２は本発明の実施例５に係るデジタルカメラの説明図であって、図１２（ａ）はそのデジタルカメラの正面図、図１２（ｂ）はその上面図、図１２（ｃ）はその背面図である。
図１３は図１２に示すデジタルカメラのシステムの構成の概要を示すブロック図である。
【００６１】
（デジタルカメラの外観構成）
図１２において、符合４１はデジタルカメラを示している。このデジタルカメラ４１の上面側には、レリーズボタン（シャッタボタン）４２、電源ボタン４３、撮影・再生切替ダイアル４４が設けられている。
【００６２】
デジタルカメラ４１の正面（前面）側には、撮影レンズ系４５を有する鏡胴ユニット４６（後述する主要撮像光学系の一部を構成する構成要素）、ストロボ発光部（フラッシュ）４７’、実施例４の測距用光学系３０に相当する光学ファインダ４８、補助撮像光学系４７が設けられている。
【００６３】
デジタルカメラ４１の背面側には、液晶モニタ（ＬＣＤ）４９、光学ファインダ４８の接眼レンズ部４８’、広角側ズーム（Ｗ）スイッチ５０、望遠側ズーム（Ｔ）スイッチ５１、メニュー（ＭＥＮＵ）ボタン５２、確定ボタン（ＯＫボタン）５３等が設けられている。また、デジタルカメラ４１の側面内部には、撮影した画像データを保存するためのメモリカード５４（図１３参照）を収納するメモリカード収納部５５が設けられている。
【００６４】
なお、レリーズボタン（シャッタボタン）４２、電源ボタン４３、撮影・再生切替ダイアル４４広角側ズーム（Ｗ）スイッチ５０、望遠側ズーム（Ｔ）スイッチ５１、メニュー（ＭＥＮＵ）ボタン５２、確定ボタン（ＯＫボタン）５３等は、図１３にユーザが操作可能な操作部として符合６２を用いて示されている。その操作部６２からの指示信号は制御部としてのＣＰＵ５８に入力される。
【００６５】
（デジタルカメラのシステム構成）
このデジタルカメラ４１は、図１３に示すように、撮影レンズ系４５（撮影レンズ、絞りユニット、メカニカルシャッタユニットを含む）を通じて入射する画像形成光束を受像するセンサ部（固体撮像素子としての例えばＣＭＯＳ）５６’、相関二重サンプリング回路（ＣＤＳ／ＰＧＡ）、アナログデジタルコンバータ（ＡＤＣ）、駆動部からなるブロック回路部（これらを含めて焦点距離が可変な主要撮像光学系という）、後述するデジタルＲＧＢ画像信号を処理する信号処理部５６、モータドライバ５７、ＣＰＵ（制御部）５８、画像データ等のデータを一時的に格納するメモリ５９、カメラ外部との通信に用いる通信ドライバ部６０、カメラ本体に着脱可能なメモリーカード５４、信号処理部５６からの画像信号をＬＣＤ表示可能な信号に変換する液晶表示コントローラ６１、表示部としての液晶モニタ（ＬＣＤ）４９、補助撮像光学系４７、ＣＰＵ５８からの制御信号により発光開始・停止が制御されるストロボ発光部４７’、ストロボ発光用メインコンデンサ６４、操作部６２等を有している。
ＣＰＵ５８は、操作部６２からの操作入力情報に基づき、ＲＯＭに記憶された制御プログラムに基づいてデジタルカメラ４１全体を統括制御する。
【００６６】
撮影レンズ、絞りユニット、メカニカルシャッタユニットは、モータドライバ５７によって駆動される。モータドライバ５７は、ＣＰＵ５８からの駆動信号により駆動制御される。
【００６７】
ＣＭＯＳは、２次元に配列した受光素子（画素）を有し、ＣＭＯＳの受像面に結像した光学像を電荷に変換する。この電荷は、ＣＭＯＳに隣接する駆動部から送信される読出しタイミング信号により外部に電気信号として出力される。このＣＭＯＳを構成する複数の受光素子上にＲＧＢ原色フィルタ（以下、「ＲＧＢフィルタ」という）が配置されている。これにより、ＲＧＢ３原色に対応したアナログＲＧＢ画像信号（なお、アナログ・デジタル変換されたＲＧＢ画像信号をデジタルＲＧＢ画像信号という）が出力される。
【００６８】
信号処理部５６は、デジタルＲＧＢ画像信号であるＲＡＷ−ＲＧＢデータを取り込むＣＭＯＳインターフェース（以下、「ＣＭＯＳＩ／Ｆ」という）、ＳＤＲＡＭを制御するメモリコントローラ、取り込んだＲＡＷ−ＲＧＢデータを表示や記録が可能なＹＵＶ形式の画像データに変換するＹＵＶ変換部、表示や記録される画像データのサイズに合わせて画像サイズを変更するリサイズ処理部、画像データの表示出力を制御する表示出力制御部、画像データをＪＰＥＧ形式等で記録するデータ圧縮部、画像データをメモリカードへ書き込み又はメモリカードに書き込まれた画像データを読み出すメディアインターフェース（以下、「メディアＩ／Ｆ」という）を備えている。
なお、この信号処理部５６は、後述する第１撮像光学系により取得された第１の被写体画像の映像信号を第１画像データに変換する第１撮像部と、後述する第２撮像光学系により取得された第２の被写体画像の映像信号を第２画像データに変換する第２撮像部としての役割とを果たす。
【００６９】
ＳＤＲＡＭには、ＣＭＯＳＩ／Ｆに取り込まれたＲＡＷ−ＲＧＢデータが保存されると共に、ＹＵＶ変換部で変換処理されたＹＵＶデータ（ＹＵＶ形式の画像データ）及びＹＵＶ合成部で合成処理されたＹＵＶデータが保存され、更に、データ圧縮部で圧縮処理されたＪＰＥＧ形成などの画像データ等が保存される。
ＹＵＶデータのＹＵＶとは、輝度データ（Ｙ）と、色差（輝度データと青色（Ｂ）データの差分（Ｕ）と、輝度データと赤色（Ｒ）の差分（Ｖ））の情報であり、色を表現する形式である。
【００７０】
（デジタルカメラのモニタリング動作、静止画撮影動作）
次に、デジタルカメラ４１のモニタリング動作、静止画撮影動作について説明する。このデジタルカメラ４１は、静止画撮影モード時には、以下に説明するモニタリング動作を実行しながら静止画撮影動作を行う。
【００７１】
先ず、ユーザ（撮影者）が電源ボタン４３をＯＮし、撮影・再生切替ダイアル４４を撮影モードに設定する。これにより、デジタルカメラ４１が記録モードで起動する。電源ボタン４３がＯＮされて、撮影・再生切替ダイアル４４が撮影モードに設定されたことをＣＰＵ５８が検知すると、ＣＰＵ５８はモータドライバ５７に制御信号を出力する。これにより、鏡胴ユニット４６が撮影可能位置に移動される。これと同時に、ＣＭＯＳ、信号処理部５６、ＳＤＲＡＭ、ＲＯＭ、液晶モニタ４９等が起動される。
【００７２】
撮影レンズ系４５が被写体に向けられると、撮影レンズ系４５を通じて入射する画像形成光束がＣＭＯＳの受光面上に結像される。
ＣＭＯＳの各受光素子から被写体画像に応じた電気信号が、ＣＤＳ/ＰＧＡを介してＡ／Ｄ変換部（ＡＤＣ）に入力され、Ａ／Ｄ変換部により１２ビット（bit）のＲＡＷ−ＲＧＢデータに変換される。
【００７３】
このＲＡＷ−ＲＧＢデータは、信号処理部５６のＣＭＯＳＩ／Ｆに取り込まれ、メモリコントローラを介していったんＳＤＲＡＭに保存される。そして、ＳＤＲＡＭから読み出されたＲＡＷ−ＲＧＢデータは、ＹＵＶ変換部においてＹＵＶデータ（ＹＵＶ信号）に変換された後、再び、メモリコントローラを介してＳＤＲＡＭに送られて、ＹＵＶデータとして保存される。
【００７４】
そのＳＤＲＡＭからメモリコントローラを介して読み出されたＹＵＶデータは、液晶表示コントローラ６１を介して液晶モニタ（ＬＣＤ）４９に送られる。これにより、撮影画像（動画）が表示される。液晶モニタ（ＬＣＤ）４９に撮影画像を表示するモニタリング時においては、ＣＭＯＳＩ／Ｆによる画素数の間引き処理により１／３０秒の時間で１フレームを読み出している。
【００７５】
なお、このモニタリング動作時は、電子ファインダとして機能する液晶モニタ（ＬＣＤ）に撮影画像が表示されているだけであり、いまだ、レリーズボタン４２が押圧（半押も含む）操作されていない状態である。
【００７６】
この撮影画像の液晶モニタ（ＬＣＤ）４９への表示によって、撮影画像をユーザ（撮影者）が確認することができる。なお、液晶表示コントローラ６１からＴＶビデオ信号としてビデオケーブルを介して外部のＴＶ（テレビ）に撮影画像（動画）を表示させることもできる。
【００７７】
そして、信号処理部５６のＣＭＯＳＩ／Ｆは、取り込まれたＲＡＷ−ＲＧＢデータを用いて、ＡＦ（自動合焦）評価値、ＡＥ（自動露出）評価値、ＡＷＢ（オートホワイトバランス）評価値を算出する。
【００７８】
ＡＦ評価値は、例えば、高周波成分抽出フィルタの出力積分値や、近接画素の輝度差の積分値を用いて算出される。被写体が合焦状態にあるときは、被写体のエッジ部分がはっきりとしているので、高周波成分が一番高くなる。
【００７９】
これを利用して、ＡＦ動作時（合焦検出動作時）には、撮影レンズ系４５の各フォーカスレンズ位置におけるＡＦ評価値を取得して、その極大になる点を合焦検出位置としてＡＦ動作が実行される。
【００８０】
ＡＥ評価値とＡＷＢ評価値は、ＲＡＷ−ＲＧＢデータのＲＧＢ値のそれぞれの積分値から算出される。例えば、ＣＭＯＳの全画素の受光面に対応した画面を２５６エリアに等分割（水平１６分割、垂直１６分割）し、それぞれのエリアのＲＧＢ積算を算出する。
【００８１】
ＣＰＵ５８は、算出されたＲＧＢ積算値を読み出し、ＡＥ処理では、画面のそれぞれのエリアの輝度を算出して、輝度分布から適正な露光量を決定する。決定した露光量に基づいて、露光条件（ＣＭＯＳの電子シャッタ回数、絞りユニットの絞り値等）を設定する。
【００８２】
また、ＡＷＢ処理では、ＲＧＢの分布から被写体の光源の色に合わせたＡＷＢの制御値を決定する。このＡＷＢ処理により、ＹＵＶ変換部でＹＵＶデータに変換処理するときのホワイトバランスを合わせる。なお、ＡＥ処理とＡＷＢ処理は、モニタリング時には連続的に行われる。
【００８３】
そして、モニタリング動作時に、レリーズボタン４２が押圧（半押しから全押し）操作されて、静止画撮影動作が開始されると、合焦位置検出動作であるＡＦ動作と静止画記録処理が行われる。
【００８４】
すなわち、レリーズボタンが押圧（半押しから全押し）操作されると、ＣＰＵ５８からモータドライバ５７への駆動指令により撮影レンズ系４５のフォーカスレンズが移動し、例えば、いわゆる山登りＡＦと称されるコントラスト評価方式のＡＦ動作が実行される。
【００８５】
ＡＦ（合焦）対象範囲が無限から至近までの全領域であった場合、撮影レンズ系４５のフォーカスレンズは、至近から無限、又は無限から至近までの間の各フォーカス位置に移動され、ＣＭＯＳＩ／Ｆで算出されている各フォーカス位置におけるＡＦ評価値をＣＰＵ５８が読み出す。そして、各フォーカス位置のＡＦ評価値が極大になる点を合焦位置としてフォーカスレンズを合焦位置に移動させて合焦させる。
【００８６】
そして、ＡＥ処理が行われ、露光完了時点で、ＣＰＵ５８からモータドライバ５７への駆動指令によりメカニカルシャッタユニットが閉じられ、ＣＭＯＳの受光素子から静止画用のアナログＲＧＢ画像信号が出力される。そして、モニタリング時と同様に、Ａ／Ｄ変換部（ＡＤＣ）によりＲＡＷ−ＲＧＢデータに変換される。
【００８７】
このＲＡＷ−ＲＧＢデータは、信号処理部５６のＣＭＯＳＩ／Ｆに取り込まれ、ＹＵＶ変換部でＹＵＶデータに変換されて、メモリコントローラを介してＳＤＲＡＭに保存される。
【００８８】
そして、このＹＵＶデータはＳＤＲＡＭから読み出されて、リサイズ処理部で記録画素数に対応するサイズに変換され、データ圧縮部でＪＰＥＧ形式等の画像データに圧縮される。
圧縮されたＪＰＥＧ形式等の画像データは、ＳＤＲＡＭに書き戻された後にメモリコントローラを介してＳＤＲＡＭから読み出され、メディアＩ／Ｆを介してメモリカード５４に保存される。
【００８９】
（補助撮像光学系４７の説明）
補助撮像光学系４７は、主要撮像光学系の撮像制御のために補助的に使用される第１の撮像光学系としての役割を果たす。
なお、主要撮像光学系は、第１撮像光学系により取得された第１の被写体画像よりも望遠側の第２の被写体画像を取得可能な第２の撮像光学系としての役割を果たす。
その補助撮像光学系４７は、主要撮像光学系のモニタリングの画素数と同程度の画素数を用いて撮像が可能である。
【００９０】
補助撮像光学系４７の焦点距離は、焦点距離が可変の主要撮像光学系の可変範囲内である。
主要撮像光学系の焦点距離が補助撮像光学系４７の焦点距離と同じである場合には、補助撮像光学系４７の画角と主要撮像光学系の画角とが同程度となるようにされている。
【００９１】
この補助撮像光学系４７は主要撮像光学系とは別に連続的に撮像動作を行っており、デジタルカメラ４１のＬＣＤ４９の表示面上に補助撮像光学系４７により撮像された被写体画像をモニタリング表示をすることが可能である。
補助撮像光学系４７のモニタリング表示は、主要撮像光学系のモニタリング表示と同時に行うことが可能である。
【００９２】
図１４はＬＣＤ４９の表示面上に主要撮像光学系による第２の被写体画像としてのモニタリング画像Ｇ１と補助撮像光学系４７による第１の被写体画像としてのモニタリング画像Ｇ２とを同時に表示している例を示している。
この図１４には主要撮像光学系によるモニタリング画像Ｇ１をＬＣＤ４９の表示面の全体に表示し、補助撮像光学系４７によるモニタリング画像Ｇ２はＬＣＤ４９の角部分に主要撮像光学系のモニタリング画像Ｇ１に重なるように小さく子画像として表示されている。
【００９３】
図１４において、(a)は主要撮像光学系と補助撮像光学系４７の焦点距離が同程度である時の表示例で、主要撮像光学系のモニタリング画像Ｇ１と補助撮像光学系４７のモニタリング画像Ｇ２とは概ね同じであり、(b)は主要撮像光学系の焦点距離を望遠側に変化させた時の表示例で、補助撮像光学系４７のモニタリング画像の画角よりも主要撮像光学系のモニタリング画像Ｇ１の方が画角が狭い。
【００９４】
（主要被写体の方向表示の説明）
以下に、補助撮像光学系４７のモニタリング画像Ｇ２から主要被写体としての人物の顔の位置を検出し、主要撮像光学系のモニタリング画像Ｇ１における主要被写体がＬＣＤ４９の表示画面上でどちらの方向にあるのかを表示する手段について説明する。
【００９５】
図１５は主要被写体の方向表示手順を説明するフロー図である。
ＣＰＵ（制御部）５８は、補助撮像光学系４７から得られるモニタリング画像Ｇ２から人物の顔Ｇ３を検出する処理を行う（Ｓ１５１）。ついで、ＣＰＵ５８は、顔が検出されたか否かを判断する（Ｓ１５２）。ここでは、ＣＰＵ５８は、補助撮像光学系４７で撮像された画像の中から被写体を特定する被写体特定手段としても機能する。
【００９６】
ＣＰＵ５８は、顔が検出されるまで、Ｓ１５１、Ｓ１５２の処理を実行し、顔Ｇ３が検出された場合、検出された顔Ｇ３が複数か否かを判断する（Ｓ１５３）。ＣＰＵ５８は、検出された顔Ｇ３が1つの場合、その検出された顔Ｇ３を主要被写体として確定する処理を行い（Ｓ１５４）、検出された顔Ｇ３が複数の場合、表示枠Ｇ４（図１６参照）の大きさで顔の大きさを判断し、検出された表示枠Ｇ４が最も大きいものを主要被写体として特定する被写体特定手段としての処理を行う（Ｓ１５５）。
【００９７】
ついで、ＣＰＵ５８は、主要撮像光学系のモニタリング画像Ｇ１内に主要被写体が収まっているかどうかを判定する（Ｓ１５６）。
主要被写体が収まっているかどうかの判定は、以下に説明する手段により判定する。
【００９８】
ＣＰＵ５８は、主要撮像光学系の現在の焦点距離と補助撮像光学系４７の焦点距離との比から主要撮像光学系のモニタリング画像Ｇ１が補助撮像光学系４７のモニタリング画像Ｇ２のどの領域に相当するかを算出し、補助撮像光学系４７のモニタリング画像Ｇ２内の主要被写体の位置が主要撮像光学系のモニタリング画像Ｇ１のどの領域に相当するか否かを判定する。
【００９９】
ついで、ＣＰＵ５８は、補助撮像光学系４７では主要被写体が画角内に収まっており、主要撮像光学系では主要被写体が画角内に収まっていない場合、主要撮像光学系のモニタリング画像Ｇ１に対し、主要被写体がどちらの方向に存在しているのかを、ＬＣＤ４９の表示画面上にガイド表示させる（Ｓ１５７）。
【０１００】
すなわち、ＣＰＵ５８は、第１の被写体画像の画角と第２の被写体画像の画角とを比較して第２の被写体画像の画角が第１の被写体画像の画角よりも狭いときに、ＬＣＤ（表示部）４９に表示された第１の被写体画像に第２の被写体画像に対応する撮像範囲を表示枠Ｇ４を用いて表示する制御部としての役割を果たす。
【０１０１】
図１６はその主要撮像光学系のモニタリング画像Ｇ１に対して、主要被写体がどちらの方向にあるのかをガイド表示する一例を示している。図１６（a)は主要被写体が主要撮像光学系の画角内に収まっているので、ガイド表示はされていない。
【０１０２】
図１６(b)は主要被写体が主要撮像光学系の画角に収まっていない。このため、図１６（ｂ）では、指示マークとしての矢印Ｇ５により主要被写体の存在する方向がガイド表示されている。
【０１０３】
この図１６（ｂ）では、モニタリング画像Ｇ２により主要被写体が右側に位置していると判定されるので、矢印Ｇ５は、ＬＣＤ４９の表示画面上に右側に主要被写体があることを示すため、表示画面の右側に右向きに表示されている。
【０１０４】
図１６（ｂ）においては、ガイド表示に矢印Ｇ５を用いることにしたが、ガイド表示は矢印Ｇ５に限る必要はなく、図１６(ｃ)に符合Ｇ６を用いて示すように表示画面の右端を帯状に色づけすることによりガイド表示してもよい。
【０１０５】
これらの図１４（ａ）、図１４（ｂ）、図１６（ａ）〜図１６（ｃ）の例では、ＣＰＵ５８により、主要撮像光学系のモニタリング画像Ｇ１と補助撮像光学系４７のモニタリング画像Ｇ２とをＬＣＤ４９の表示画面に同時に表示させる構成とした。
【０１０６】
しかしながら、補助撮像光学系４７のモニタリング画像Ｇ２は必ずしも同時に表示させる必要はなく、モニタリング画像Ｇ２をＬＣＤ４９の表示画面に表示させず、図１６（ｄ）に示すように、主要被写体Ｇ３が主要撮像光学系のモニタリング画像Ｇ１から外れたときに、ガイド表示としての主要被写体Ｇ３の存在する方向を示す矢印Ｇ５のみをＬＣＤ４９の表示画面に表示させる構成としてもよい。
【０１０７】
図１７は、人物の顔Ｇ３が複数個検出されている例を示している。この図１７では、２人の顔Ｇ３、Ｇ３’が検出されているが、このうちの大きい方の顔Ｇ３、この例では、正面を向いている顔Ｇ３を主要被写体とする。
【０１０８】
この図１７においては、（ａ）に示すように、顔Ｇ３が主要撮像光学系のモニタリング画像Ｇ１内に収まっている場合には、矢印Ｇ５はＬＣＤ４９の表示画面上に表示されない。
しかしながら、図１７(b)に示すように、２人のうちの１人の顔Ｇ３’が主要撮像光学系のモニタリング画像Ｇ１内に収まっているとしても、主要被写体とする人物の顔Ｇ３が画角外にあるときには矢印Ｇ５によりガイド表示される。
【０１０９】
以上説明したように、主要撮像光学系のモニタリング画像Ｇ１から主要被写体が外れてしまった際に主要被写体が存在する方向をガイド表示することにしたので、主要撮像光学系の焦点距離を望遠側にしている時等に主要被写体を再度画角内に収めることが容易になる。
また、被写体特定手段は、人の顔を特定する機能を備えているので、被写体が人の顔である場合に、撮影が容易である。
【０１１０】
（実施例６）
図１８は、主要被写体をユーザーが設定する例を説明するフロー図である。
このデジタルカメラ４１は、主要被写体を指定する指定手段としてのメニューを有する。このメニューは、実施例１ないし実施例と同様にＬＣＤ４９のメニュー画面に表示される。ユーザーはメニューを選択することにより主要被写体を選択操作するか否かを設定できる。
【０１１１】
ユーザーがメニュー選択し、主要被写体の選択操作をすると（Ｓ１８１）、ＣＰＵ５８は補助モニタリング画面を拡大させる（Ｓ１８２）。図１９は補助モニタリング画面を拡大した例を示す説明図である。
【０１１２】
通常、図１９(a)に示すように、補助モニタリング画面はＬＣＤ４９の表示画面の隅に子画像として小さく表示されている。
ユーザーが主要被写体を選択操作すると、図１９(b)に示すように、補助モニタリング画面が大きく表示され、ユーザーが被写体を選択操作し易くなる。
【０１１３】
主要被写体の選択手段は、例えば、補助撮像光学系４７のモニタリング画像Ｇ２上に被写体を指定するための十字カーソルＧ７等を表示し、上下左右キー５５’（図１２（ｃ）参照）を押すことにより十字カーソルＧ７等を動かすことにより選択する（Ｓ１８３）。
ユーザーの被写体の選択操作が終了すると、補助モニタリング画面表示が図１９（ａ）に示す元の大きさに戻される（Ｓ１８４）。
【０１１４】
ユーザーが主要被写体を選択した後は、ＣＰＵ５８は主要被写体Ｇ３が補助撮像光学系４７の画角内に収まっている間は、主要被写体をロックしてその位置を取得し続ける。そして、ＣＰＵ５８は実施例５と同様の処理により主要撮像光学系のモニタリング画角内に主要被写体Ｇ３が収まっているかどうかを判定する（Ｓ１８５）。
【０１１５】
ついで、ＣＰＵ５８は、補助撮像光学系４７において主要被写体Ｇ３が画角内に収まっており、主要撮像光学系では主要被写体Ｇ３が画角内に収まっていない場合、主要撮像光学系のモニタリング画像Ｇ１に対し、主要被写体Ｇ３がどちらの方向にあるのかを矢印Ｇ５によりガイド表示させる（Ｓ１８６）。
【０１１６】
この実施例６によれば、ユーザが補助撮像光学系４７で撮像されたモニタリング画像の中から所望の被写体を選択して指定できるので便利である。また、ユーザの被写体選択中は、そのモニタリング画像がＬＣＤ４９の表示画面に拡大表示されるので、被写体の選択操作が容易である。
【０１１７】
このように、この実施例５、実施例６による表示方法によれば、第２撮像光学系により取得された第２の被写体画像を表示する表示ステップと、第１の被写体画像の中から被写体特定手段によりターゲットとする被写体を特定する特定ステップと、ターゲットの少なくとも一部が第２の被写体画像から外れたときにターゲットの存在する方向を指し示す指示マークを表示部に表示させる指示マーク表示ステップとが、少なくとも実行される。
【符号の説明】
【０１１８】
１…デジタルカメラ
２…左側撮像光学系（第１撮像光学系）
３…右側撮像光学系（第２撮像光学系）
１１…演算部（制御部）
１８…第１撮像部
１９…第２撮像部
２０…表示部
WG…広角画像
TI…望遠画像
GU…表示画面
【先行技術文献】
【特許文献】
【０１１９】
【特許文献１】特開２００９−２４４３６９号公報
【特許文献２】特開２００３−２７４２５３号公報
【図１】
2013013050.tif 000003
【図２】
2013013050.tif 000004
【図３】
2013013050.tif 000005
【図４】
2013013050.tif 000006
【図５】
2013013050.tif 000007
【図６】
2013013050.tif 000008
【図７】
2013013050.tif 000009
【図８】
2013013050.tif 000010
【図９】
2013013050.tif 000011
【図１０】
2013013050.tif 000012
【図１１】
2013013050.tif 000013
【図１２】
2013013050.tif 000014
【図１３】
2013013050.tif 000015
【図１４】
2013013050.tif 000016
【図１５】
2013013050.tif 000017
【図１６】
2013013050.tif 000018
【図１７】
2013013050.tif 000019
【図１８】
2013013050.tif 000020
【図１９】
2013013050.tif 000021